(57)【要約】【課題】施工の現場における風量測定を効率化できる施工管理システムを提供することを課題とする。【解決手段】携帯端末と、サーバ装置と、端末装置とが、ネットワークを介して通信を行う施工管理システムであって、端末装置は、風量測定場所の情報をサーバ装置に登録する手段を有し、サーバ装置は、風量測定場所の情報を携帯端末に提供する手段を有し、携帯端末は、施工現場における風量測定場所の情報に基づき、施工現場の図面上に風量測定場所を表すアイコンと、ユーザにより選択されたアイコンが表す風量測定場所の風量測定の結果の合否を表示する表示処理手段と、風速測定器と連動して風量測定を行う手段と、風量測定の結果の合否を判定し、判定結果を表示処理手段に表示させる手段とを有することで課題を解決する。【選択図】図１
2018163422.tif 000002
【特許請求の範囲】
【請求項１】
風速測定器と連動して風量測定を行う１台以上の携帯端末と、ユーザの操作により前記携帯端末が行った風量測定の結果を管理するサーバ装置と、前記サーバ装置に前記携帯端末が行った風量測定の結果の合否を判定するための情報を登録する端末装置とが、ネットワークを介して通信を行う施工管理システムであって、
前記端末装置は、
施工現場の図面上の位置で表した風量測定場所の情報の入力をユーザから受け付け、前記風量測定場所の情報を前記サーバ装置に登録する登録受付手段、
を有し、
前記サーバ装置は、
前記施工現場における風量測定場所の情報を前記携帯端末に提供する提供手段と、
前記携帯端末が前記風速測定器と連動して行った風量測定の結果を受信し、前記施工現場における風量測定場所の情報と対応付けて保存する保存手段と、
を有し、
前記携帯端末は、
前記サーバ装置から提供された前記施工現場における風量測定場所の情報に基づき、前記施工現場の図面上に前記施工現場における風量測定場所を表すアイコンと、ユーザにより選択された前記アイコンが表す前記風量測定場所の風量測定の結果の合否を表示する表示処理手段と、
ユーザによる指示により前記風速測定器と連動して風量測定を行う測定デバイス制御手段と、
前記携帯端末が行った風量測定の結果の合否を判定し、その判定結果を前記表示処理手段に表示させる測定データ処理手段と、
を有すること、を特徴とする施工管理システム。
【請求項２】
前記測定データ処理手段は、前記携帯端末が前記風速測定器と連動して測定した測定風量と、前記風量測定場所の設計風量とを比較して、前記測定風量の合否を判定すること
を特徴とする請求項１記載の施工管理システム。
【請求項３】
前記携帯端末は、
前記風量測定が完了した前記風量測定場所を表すアイコンの色を、前記風量測定が完了していない前記風量測定場所を表すアイコンの色と異ならせるように更新するアイコン更新処理手段、
を更に有すること、を特徴とする請求項１又は２記載の施工管理システム。
【請求項４】
前記表示処理手段は、前記携帯端末と前記風速測定器とが連動して行う風量測定の開始指示をユーザから受け付ける手段、を有すること、を特徴とする請求項１乃至３何れか一項記載の施工管理システム。
【請求項５】
風速測定器と連動して風量測定を行う携帯端末の施工管理方法であって、
ユーザの指示により前記風速測定器と連動して風量測定を行う測定デバイス制御ステップと、
前記風量測定の結果の合否を判定する測定データ処理ステップと、
ネットワークを介して通信可能なサーバ装置から提供された施工現場における風量測定場所における風量測定の結果の合否を表示する表示処理ステップと、
を有すること、を特徴とする施工管理方法。
【請求項６】
風速測定器と連動して風量測定を行う携帯端末の風量測定方法であって、
ユーザの指示により前記風速測定器と連動して風量測定を行う測定デバイス制御ステップと、
前記風量測定の結果の合否を判定する測定データ処理ステップと、
ネットワークを介して通信可能なサーバ装置から提供された施工現場における風量測定場所における風量測定の結果の合否を表示する表示処理ステップと、
を有すること、を特徴とする風量測定方法。
【請求項７】
風速測定器と連動して風量測定を行う携帯端末であって、
ユーザの指示により前記風速測定器と連動して風量測定を行う測定デバイス制御手段と、
前記風量測定の結果の合否を判定する測定データ処理手段と、
ネットワークを介して通信可能なサーバ装置から提供された施工現場における風量測定場所における風量測定の結果の合否を表示する表示処理手段と、
を有すること、を特徴とする携帯端末。
【請求項８】
風速測定器と連動して風量測定を行う携帯端末を、
ネットワークを介して通信可能なサーバ装置から提供された施工現場における風量測定場所の情報に基づき、前記施工現場の図面上に前記施工現場における風量測定場所を表すアイコンと、ユーザにより選択された前記アイコンが表す前記風量測定場所の風量測定の結果の合否を表示する表示処理手段、
ユーザによる指示により前記風速測定器と連動して風量測定を行う測定デバイス制御手段、
前記風量測定の結果の合否を判定し、その判定結果を前記表示処理手段に表示させる測定データ処理手段、
として機能させるためのプログラム。
【発明の詳細な説明】
【技術分野】
【０００１】
本発明は施工管理システム、施工管理方法、風量測定方法、携帯端末及びプログラムに関する。
【背景技術】
【０００２】
施工の現場において行われる現場業務には、現場における試運転調整が含まれる。例えば空調設備の試運転調整では、風量測定や騒音測定が行われる。施工管理を行うユーザは現場において測定した測定データを、例えば事務所で整理し、帳票を作成していた。例えばＣＡＤ装置及び携帯端末装置等を用いて空調設備や衛生設備等の配管、建築設備等の施工状態を管理する施工管理システムが知られている（例えば特許文献１参照）。
【先行技術文献】
【特許文献】
【０００３】
【特許文献１】特許第５１３８０６８号公報
【発明の概要】
【発明が解決しようとする課題】
【０００４】
施工管理を行うユーザは現場において測定した測定風速、及び、その測定風速から算出した測定風量を、例えば事務所で整理し、帳票を作成していた。ところで、帳票には設計で意図している設計風速や設計風量を測定風速や測定風量が満たしているかの合否判定の項目が含まれている場合がある。このような場合、現場業務後、事務所に戻って作成した帳票の合否判定の項目が、合格でなければ、再度、現場において試運転調整を行い、風量測定をやり直す必要があり、非効率であった。
【０００５】
本発明の一実施形態は、施工の現場における風量測定を効率化できる施工管理システム、施工管理方法、風量測定方法、携帯端末及びプログラムを提供することを目的とする。
【課題を解決するための手段】
【０００６】
上記した目的を達成するため、本願発明は、風速測定器と連動して風量測定を行う１台以上の携帯端末と、ユーザの操作により前記携帯端末が行った風量測定の結果を管理するサーバ装置と、前記サーバ装置に前記携帯端末が行った風量測定の結果の合否を判定するための情報を登録する端末装置とが、ネットワークを介して通信を行う施工管理システムであって、前記端末装置は、施工現場の図面上の位置で表した風量測定場所の情報の入力をユーザから受け付け、前記風量測定場所の情報を前記サーバ装置に登録する登録受付手段、を有し、前記サーバ装置は、前記施工現場における風量測定場所の情報を前記携帯端末に提供する提供手段と、前記携帯端末が前記風速測定器と連動して行った風量測定の結果を受信し、前記施工現場における風量測定場所の情報と対応付けて保存する保存手段と、を有し、前記携帯端末は、前記サーバ装置から提供された前記施工現場における風量測定場所の情報に基づき、前記施工現場の図面上に前記施工現場における風量測定場所を表すアイコンと、ユーザにより選択された前記アイコンが表す前記風量測定場所の風量測定の結果の合否を表示する表示処理手段と、ユーザによる指示により前記風速測定器と連動して風量測定を行う測定デバイス制御手段と、前記携帯端末が行った風量測定の結果の合否を判定し、その判定結果を前記表示処理手段に表示させる測定データ処理手段と、を有すること、を特徴とする。
【０００７】
また、上記した目的を達成するため、本願発明は、風速測定器と連動して風量測定を行う携帯端末の施工管理方法であって、ユーザの指示により前記風速測定器と連動して風量測定を行う測定デバイス制御ステップと、前記風量測定の結果の合否を判定する測定データ処理ステップと、ネットワークを介して通信可能なサーバ装置から提供された施工現場における風量測定場所における風量測定の結果の合否を表示する表示処理ステップと、を有すること、を特徴とする。
【０００８】
また、上記した目的を達成するため、本願発明は、風速測定器と連動して風量測定を行う携帯端末の風量測定方法であって、ユーザの指示により前記風速測定器と連動して風量測定を行う測定デバイス制御ステップと、前記風量測定の結果の合否を判定する測定データ処理ステップと、ネットワークを介して通信可能なサーバ装置から提供された施工現場における風量測定場所における風量測定の結果の合否を表示する表示処理ステップと、を有すること、を特徴とする。
【０００９】
また、上記した目的を達成するため、本願発明は、風速測定器と連動して風量測定を行う携帯端末であって、ユーザの指示により前記風速測定器と連動して風量測定を行う測定デバイス制御手段と、前記風量測定の結果の合否を判定する測定データ処理手段と、ネットワークを介して通信可能なサーバ装置から提供された施工現場における風量測定場所における風量測定の結果の合否を表示する表示処理手段と、を有すること、を特徴とする。
【００１０】
また、上記した目的を達成するため、本願発明は、風速測定器と連動して風量測定を行う携帯端末を、ネットワークを介して通信可能なサーバ装置から提供された施工現場における風量測定場所の情報に基づき、前記施工現場の図面上に前記施工現場における風量測定場所を表すアイコンと、ユーザにより選択された前記アイコンが表す前記風量測定場所の風量測定の結果の合否を表示する表示処理手段、ユーザによる指示により前記風速測定器と連動して風量測定を行う測定デバイス制御手段、前記風量測定の結果の合否を判定し、その判定結果を前記表示処理手段に表示させる測定データ処理手段、として機能させるためのプログラムであることを特徴とする。
【発明の効果】
【００１１】
本発明の一実施形態によれば、施工の現場における風量測定を効率化できる。風量測定が効率化されることで、風量測定にかかわる施工管理工数が削減され、省力化及び省人化が図られる。
【図面の簡単な説明】
【００１２】
【図１】本実施形態に係る施工管理システムの一例のシステム構成図である。
【図２】本実施形態に係るコンピュータの一例のハードウェア構成図である。
【図３】本実施形態に係るタブレット端末の一例のハードウェア構成図である。
【図４】本実施形態に係る施工管理システムの一例の処理ブロック図である。
【図５】図面テーブル、検査アイコンテーブル及び検査アイコン情報テーブルの一例の構成図である。
【図６】事前登録処理の一例のシーケンス図である。
【図７】吹出口データを登録する画面の一例のイメージ図である。
【図８】検査アイコンを登録する画面の一例のイメージ図である。
【図９】ダウンロード処理の一例のシーケンス図である。
【図１０】選択した検査アイコンの検査アイコン情報を確認する画面の一例のイメージ図である。
【図１１】風量測定の一例のシーケンス図である。
【図１２】風速測定後の検査アイコン情報を確認する画面の一例のイメージ図である。
【図１３】測定データ処理の一例のフローチャートである。
【図１４】検査アイコン情報の一覧表示画面の一例のイメージ図である。
【図１５】検査アイコン更新処理の一例のシーケンス図である。
【図１６】風速／風量測定の結果を確認する画面の一例のイメージ図である。
【図１７】測定風量を示す画面の一例のイメージ図である。
【発明を実施するための形態】
【００１３】
次に、本発明の実施の形態について、詳細に説明する。
［第１の実施形態］
＜システム構成＞
図１は本実施形態に係る施工管理システムの一例のシステム構成図である。図１に示すように本実施形態に係る施工管理システム１は、サーバ装置１０と、１台以上のＰＣ１２と、複数台のタブレット端末１４と、複数台の風速測定器１５と、を有する。サーバ装置１０、ＰＣ１２及びタブレット端末１４はインターネットなどのネットワーク１６により接続されている。タブレット端末１４と風速測定器１５とは、Ｂｌｕｅｔｏｏｔｈ（登録商標）などの近距離無線通信によりデータ通信可能である。タブレット端末１４と風速測定器１５とは、有線通信によりデータ通信を行ってもよい。
【００１４】
図１ではＰＣ１２が、施工管理を行うユーザの事務所にある例を表す。タブレット端末１４及び風速測定器１５は施工管理を行うユーザにより施工現場に持ち込まれる。ユーザはＰＣ１２を操作し、必要な情報をサーバ装置１０に登録したり、サーバ装置１０から必要な情報を取得して表示させたり、することができる。また、ユーザはタブレット端末１４及び風速測定器１５を操作し、必要な情報をサーバ装置１０に登録したり、サーバ装置１０から必要な情報を取得して表示させたり、することができる。
【００１５】
ＰＣ１２は、ユーザが事務所において操作するクライアント端末の一例である。事務所において操作するクライアント端末は、スマートフォン、タブレット端末などであってもよい。タブレット端末１４はユーザが施工現場において操作するクライアント端末の一例である。タブレット端末１４は、内蔵又は外付けを問わず、写真撮影機能を有する。施工現場において操作するクライアント端末は、内蔵又は外付けを問わず、写真撮影機能を有しているスマートフォン、ノートＰＣなどであってもよい。
【００１６】
風速測定器１５は吹出口（ＶＨＳ）や吸込口（ＨＳ）などの制気口の風速を測定する測定器である。風量は、制気口の風速と制気口の開口面積（制気口の面積×開口率）から算出される。風速測定器１５はタブレット端末１４にインストールされた後述の風量測定アプリと連動し、風速データを測定して、タブレット端末１４に送信する。
【００１７】
サーバ装置１０は、ＰＣ１２及びタブレット端末１４から風量測定の結果を受け付ける機能やＰＣ１２及びタブレット端末１４に風量測定の結果を表示するための情報を提供する機能を有する。また、サーバ装置１０は、ＰＣ１２及びタブレット端末１４から風量測定の進捗管理のための情報の登録を受け付ける機能やＰＣ１２及びタブレット端末１４に風量測定の進捗管理のための情報を提供する機能を有する。なお、図１のサーバ装置１０の構成は一例であって、複数のコンピュータに分散して構成するようにしてもよい。
【００１８】
図１の施工管理システム１は、ＰＣ１２とタブレット端末１４とが異なる例を示しているが、例えばＰＣ１２とタブレット端末１４とが同種のクライアント端末でも同一のクライアント端末でもよい。同一のクライアント端末の場合、ユーザは事務所で使用していたクライアント端末を施工現場に携帯して持ち込み、利用する。
【００１９】
＜ハードウェア構成＞
サーバ装置１０、ＰＣ１２は例えば図２に示すようなハードウェア構成のコンピュータにより実現される。図２は、本実施形態に係るコンピュータの一例のハードウェア構成図である。
【００２０】
図２のコンピュータ５００は入力装置５０１、表示装置５０２、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。なお、入力装置５０１及び表示装置５０２は必要なときに接続して利用する形態であってもよい。
【００２１】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００２２】
通信Ｉ／Ｆ５０７はコンピュータ５００を各種ネットワークに接続するインタフェースである。これにより、コンピュータ５００は通信Ｉ／Ｆ５０７を介してデータ通信を行うことができる。
【００２３】
また、ＨＤＤ５０８は、プログラムやデータを格納している不揮発性の記憶装置の一例である。格納されるプログラムやデータには、コンピュータ５００全体を制御する基本ソフトウェアであるＯＳ、ＯＳ上で各種機能を提供するプログラムなどがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２４】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２５】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定などのプログラムやデータが格納されている。ＲＡＭ５０４は、プログラムやデータを一時保持する揮発性の半導体メモリ（記憶装置）の一例である。
【００２６】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。サーバ装置１０及びＰＣ１２は、例えば図２に示すようなハードウェア構成においてＣＰＵ５０６がプログラムを実行することにより、後述するような各種処理を実現できる。
【００２７】
タブレット端末１４は例えば図３に示すハードウェア構成により実現される。図３は本実施形態に係るタブレット端末の一例のハードウェア構成図である。図３のタブレット端末１４は、ＣＰＵ６０１、ＲＯＭ６０２、ＲＡＭ６０３、ＥＥＰＲＯＭ６０４、ＣＭＯＳセンサ６０５、加速度・方位センサ６０６、メディアドライブ６０８を備えている。
【００２８】
ＣＰＵ６０１はタブレット端末１４全体の動作を制御する。ＲＯＭ６０２は基本入出力プログラムを記憶している。ＲＡＭ６０３はＣＰＵ６０１のワークエリアとして使用される。ＥＥＰＲＯＭ６０４はＣＰＵ６０１の制御にしたがってデータの読み出し又は書き込みが行われる。ＣＭＯＳセンサ６０５は、写真撮影機能のための画像データの取得機能を実現する。ＣＭＯＳセンサ６０５はＣＰＵ６０１の制御に従って撮影を行い、画像データを得る。ＣＭＯＳセンサ６０５は被写体を撮像することができるのであれば、例えばＣＣＤ（Charge  Coupled  Device）センサであってもよい。加速度・方位センサ６０６は、地磁気を検知する電子磁気コンパスやジャイロコンパス、加速度センサ等である。
【００２９】
メディアドライブ６０８は、フラッシュメモリ等の記録メディア６０７に対するデータの読み出し又は書き込み（記憶）を制御する。メディアドライブ６０８は、既に記録されていたデータが読み出され又は新たにデータが書き込まれて記憶する記録メディア６０７を着脱自在な構成となっている。なお、図３のハードウェア構成は一例であり、メディアドライブ６０８が無い構成であってもよい。
【００３０】
なお、ＥＥＰＲＯＭ６０４には、ＣＰＵ６０１が実行するＯＳ、ネットワーク設定に必要なアソシエーション情報等が記憶されている。本発明の実施形態における各種処理を実行するためのアプリケーションは、ＥＥＰＲＯＭ６０４又は記録メディア６０７などに記憶されている。
【００３１】
さらに、タブレット端末１４は、音声入力部６０９、音声出力部６１０、アンテナ６１１、通信部６１２、無線ＬＡＮ通信部６１３、近距離無線通信用アンテナ６１４、近距離無線通信部６１５、ディスプレイ６１６、タッチパネル６１７及びバスライン６１９を備える。
【００３２】
音声入力部６０９は音声を音声信号に変換する。音声出力部６１０は音声信号を音声に変換する。通信部６１２はアンテナ６１１を利用して無線通信信号により最寄りの基地局装置と通信を行う。無線ＬＡＮ通信部６１３はＩＥＥＥ８０２．１１規格等に準拠する無線ＬＡＮ通信を行う。近距離無線通信部６１５は近距離無線通信用アンテナ６１４を利用したＢｌｕｅｔｏｏｔｈ（登録商標）などの近距離無線通信を行う。
【００３３】
ディスプレイ６１６は、被写体の画像や各種アイコン等を表示する液晶や有機ＥＬ等である。タッチパネル６１７は、ディスプレイ６１６上に載せられ、感圧式又は静電式のパネルによって構成され、指やタッチペン等によるタッチによってディスプレイ６１６上におけるタッチ位置を検出する。バスライン６１９は上記各部を電気的に接続するためのアドレスバスやデータバス等である。
【００３４】
また、タブレット端末１４は専用の電池６１８を備えている。タブレット端末１４は電池６１８によって駆動される。なお、音声入力部６０９は音声を入力するマイクが含まれる。音声出力部６１０は音声を出力するスピーカが含まれている。タブレット端末１４は例えば図４に示すハードウェア構成においてＣＰＵ６０１が後述の風量測定アプリや図面共有アプリなどの各種アプリケーションを実行することにより、後述の各種処理を実現できる。
【００３５】
＜ソフトウェア構成＞
本実施形態に係る施工管理システム１は例えば図４に示すような処理ブロックにより実現される。図４は本実施形態に係る施工管理システムの一例の処理ブロック図である。
【００３６】
サーバ装置１０はプログラムを実行することにより、図面ファイル登録部３１、吹出口データ登録部３２、検査アイコン登録部３３、検査アイコン情報提供部３４、検査アイコン情報更新部３５、テーブル保存部３６、図面ファイル保存部３７、検査アイコン情報保存部３８を実現している。
【００３７】
図面ファイル登録部３１はＰＣ１２からの図面ファイル登録要求に応じて施工現場の図面を電子化した図面ファイルを図面ファイル保存部３７に保存する。吹出口データ登録部３２はＰＣ１２からの吹出口データ登録要求に応じて吹出口データを検査アイコン情報保存部３８に保存する。
【００３８】
検査アイコン登録部３３は、ＰＣ１２からの検査アイコン情報登録要求に応じて、電子化された施工現場の図面上の位置と対応付けて、施工現場における風量測定場所を示す検査アイコンの情報（検査アイコンテーブル）をテーブル保存部３６に保存する。また、検査アイコン登録部３３は検査アイコンと検査アイコン情報とを対応付ける情報（検査アイコン情報テーブル）を検査アイコン情報保存部３８に保存する。
【００３９】
検査アイコン情報提供部３４はタブレット端末１４からの要求に応じてタブレット端末１４に図面ファイル及び検査アイコン情報を提供する。検査アイコン情報更新部３５は風量測定が行われると、その風量測定結果で検査アイコン情報を更新する。また、検査アイコン情報更新部３５はＰＣ１２やタブレット端末１４で検査アイコン情報の編集操作が行われると、その編集操作により検査アイコン情報を更新する。
【００４０】
検査アイコン情報提供部３４は検査アイコン情報を複数台のタブレット端末１４に提供する。サーバ装置１０は複数台のタブレット端末１４による風量測定の結果を複数のタブレット端末１４に配信し、検査アイコン情報を複数のタブレット端末１４の間で直ちに共有させることができる。
【００４１】
検査アイコン情報更新部３５はテーブル保存部３６に保存された検査アイコンテーブルの情報を更新する。検査アイコン情報更新部３５は更新した検査アイコンの情報を、複数のタブレット端末１４に同時に配信する。例えばテーブル保存部３６は後述の図面テーブル及び検査アイコンテーブルを保存している。図面ファイル保存部３７は電子化された施工現場の図面ファイルを保存している。検査アイコン情報保存部３８は検査アイコン情報テーブルを保存している。
【００４２】
サーバ装置１０は、さらに、良否判定のための情報（以下、良否判定情報と呼ぶ）を保持している。この良否判定情報は、設計値を基準として許容範囲を示す情報である。許容範囲の上限値は設計値に対して１０％を加算した値である。許容範囲の下限値は設計値に対して１０％を減じた値である。従い、許容範囲を示す情報は、０．１である。
【００４３】
また、ＰＣ１２はＷＥＢアプリケーションなどのプログラムを実行することで、操作判断部４１、表示処理部４２、図面ファイル登録受付部４３、吹出口データ登録受付部４４及び検査アイコン登録受付部４５を実現している。
【００４４】
操作判断部４１はユーザから受け付けた操作を判断する。表示処理部４２はＰＣ１２の表示装置５０２に後述するような画面を表示させる。図面ファイル登録受付部４３は施工現場の図面ファイルを登録する操作をユーザから受け付けると、その図面ファイルの登録要求をサーバ装置１０に対して行う。吹出口データ登録受付部４４は吹出口データを登録する操作をユーザから受け付けると、吹出口データの登録要求をサーバ装置１０に対して行う。検査アイコン登録受付部４５は検査アイコンを施工現場の図面上に登録する操作をユーザから受け付けると、その検査アイコンの登録要求をサーバ装置１０に対して行う。
【００４５】
また、タブレット端末１４は図面共有アプリ５０や風量測定アプリ６０などのプログラムを実行することで、操作判断部５１、表示処理部５２、検査アイコン情報取得部５３、図面ファイル取得部５４、アプリ切替制御部５５、測定データ処理部５６、検査アイコン更新処理部５７、検査アイコン情報送信部５８、測定デバイス制御部６１及び測定データ送受信部６２を実現している。
【００４６】
操作判断部５１はユーザから受け付けた操作を判断する。表示処理部５２はタブレット端末１４のディスプレイ６１６に後述するような画面を表示させる。検査アイコン情報取得部５３はサーバ装置１０から施工現場の図面上に登録された検査アイコン情報を取得する。図面ファイル取得部５４はサーバ装置１０から電子化された施工現場の図面ファイルを取得する。
【００４７】
アプリ切替制御部５５は図面共有アプリ５０と風量測定アプリ６０との間のアプリ切り替えを制御する。測定データ処理部５６は風速測定器１５において測定された風速データを処理し、測定風速及び測定風量を求め、設計風速及び設計風量との比較による良否判定を行い、検査アイコン情報に反映する。
【００４８】
検査アイコン更新処理部５７は、施工現場の図面上に表示されている検査アイコンの色の制御を行う。風量測定が完了した風量測定場所の検査アイコンの色を、未完了を示す色から完了を示す色に変更する。また、検査アイコン更新処理部５７は検査アイコンの更新要求をサーバ装置１０に対して行う。検査アイコン情報送信部５８はタブレット端末１４で更新された検査アイコン情報をサーバ装置１０に送信する。
【００４９】
測定デバイス制御部６１及び測定データ送受信部６２は風量測定アプリ６０により実現されている。図面共有アプリ５０から風量測定アプリ６０に切り替わると、測定デバイス制御部６１はＢｌｕｅｔｏｏｔｈ（登録商標）などの近距離無線通信により測定デバイスである風速測定器１５と連動し、風速データを測定する。測定データ送受信部６２は風速測定器１５で測定した風速データを受信し、その風速データを図面共有アプリ５０に送信する。風速データの測定が終了すると、タブレット端末１４は風量測定アプリ６０から図面共有アプリ５０に切り替わる。
【００５０】
サーバ装置１０に保存される図面テーブル、検査アイコンテーブル及び検査アイコン情報テーブルは、例えば図５に示すように関連付けられている。図５は図面テーブル、検査アイコンテーブル及び検査アイコン情報テーブルの一例の構成図である。
【００５１】
図５の図面テーブルは、図面ＩＤ、現場ＩＤ及びファイル保存パスを項目として含む構成である。図面テーブルは施工現場を特定する現場ＩＤと対応付けられている。図面ＩＤは図面を特定する情報の一例である。ファイル保存パスは図面ファイルの保存先を示している。
【００５２】
図５の検査アイコンテーブルは検査アイコンＩＤ、図面ＩＤ、座標、色、連番、完了ステータス及び検査アイコン情報ＩＤを項目として含む構成である。検査アイコンテーブルは図面ＩＤにより図面テーブルと対応付けられている。検査アイコンＩＤは検査アイコンを特定する情報の一例である。
【００５３】
座標は、検査アイコンが登録されている図面上の位置を表す。色は施工現場の図面上に表示される検査アイコンの色を表す。連番は、同一の図面上に登録されている検査アイコンに連続的に振られている番号である。完了ステータスは、検査アイコンが示す位置での風量測定の完了／未完了を表す。検査アイコンテーブルは検査アイコン情報を特定する検査アイコン情報ＩＤと対応付けられている。
【００５４】
また、図５の検査アイコン情報テーブルは検査アイコン情報ＩＤ、検査アイコンＩＤ、系統、型式、サイズ、面積、開口率、設計風速、設計風量、測定風速、測定風量を項目として有する。検査アイコン情報テーブルは、検査アイコンＩＤにより検査アイコンテーブルと対応付けられている。
【００５５】
検査アイコン情報ＩＤは検査アイコン情報を特定する情報の一例である。系統、型式、サイズ、面積、開口率、設計風速、設計風量はＰＣ１２から登録された吹出口データの一例である。測定風速は、風速測定器１５により測定した風速データである。測定風量は風速測定器１５により測定した風速データから算出した風量データである。
【００５６】
図５から明らかなように、各図面には１つ以上の検査アイコンを対応付けることができ、各検査アイコンに検査アイコン情報を対応付けることができる。
【００５７】
＜処理の詳細＞
以下では、本実施形態に係る施工管理システム１の処理の詳細について説明する。
【００５８】
《施工管理システムの処理概要》
本実施形態に係る施工管理システム１は以下の手順により施工現場における風量測定を効率化する。施工管理を行うユーザは施工現場の図面ファイルを登録する操作をＰＣ１２に対して行う。ＰＣ１２は施工現場の図面ファイルをサーバ装置１０に登録する。
【００５９】
また、ユーザは吹出口データを登録する画面を表示させるための操作をＰＣ１２に対して行う。ＰＣ１２は吹出口データを登録する画面を表示する。ユーザはＰＣ１２に表示された吹出口データを登録する画面から吹出口データを登録する。良否判定情報は、ユーザにより任意に設定可能である。ユーザはこの良否判定情報を登録する画面を表示させるための操作をＰＣ１２に対して行う。ＰＣ１２は良否判定情報を登録する画面を表示する。ユーザはＰＣ１２に表示された良否判定情報を登録する画面から良否判定情報を登録する。つまり、ユーザはＰＣ１２を用いて良否判定情報である０．１を入力し、この値がサーバ装置１０のＨＤＤ５０８に格納される。この良否判定情報は、０．１に限られず、物件や設計条件などに応じて任意に設定して良い。また、良否判定情報はＰＣ１２を操作して入力するようにしたが、タブレット端末１４から入力しても良い。
【００６０】
また、ユーザは、検査アイコンを登録する画面を表示させるための操作をＰＣ１２に対して行う。ＰＣ１２はユーザに選択された施工現場の図面ファイルを表示する。ユーザはＰＣ１２に表示された施工現場の図面上に、施工現場における風量測定場所を示す検査アイコンを登録する操作を行う。また、ユーザは検査アイコンと吹出口データとを対応付けて検査アイコン情報を生成する操作を行う。ＰＣ１２は施工現場の図面上に対応付けられた検査アイコン及び検査アイコン情報をサーバ装置１０に登録する。
【００６１】
ユーザは電子化された施工現場の図面ファイル、その図面ファイルに登録された検査アイコン、検査アイコン情報をサーバ装置１０から取り込む操作をタブレット端末１４に対して行う。タブレット端末１４は取り込んだ施工現場の図面ファイルを表示し、図面上に検査アイコンを表示する。この図面ファイル等がタブレット端末１４に取り込まれる際に、良否判定情報もタブレット端末１４に取り込まれる。良否判定情報はタブレット端末１４のＲＡＭ６０３に格納され、風速測定及び風量測定の良否判定に利用される。
【００６２】
ユーザは施工現場の風量測定場所に行き、その風量測定場所に対応する検査アイコンを選択する。タブレット端末１４は選択された検査アイコンの「検査アイコン情報を確認する画面」を表示する。なお、「検査アイコン情報を確認する画面」には、風量測定を開始するためのボタン等が設けられている。ユーザはタブレット端末１４に表示された「検査アイコン情報を確認する画面」から風量測定を開始する指示を行うことができる。
【００６３】
ユーザから風量測定を開始する指示があったと判定すると、タブレット端末１４は風量測定アプリ６０に切り替え、風速測定器１５による風速測定が可能な状態となる。ユーザは風速測定器１５を吹出口に当て、風速を測定する。測定が終了すると、タブレット端末１４は図面共有アプリ５０に切り替え、風速測定器１５において測定された測定風速を処理し、測定風量を求め、設計風速及び設計風量との比較による良否判定を行い、「検査アイコン情報を確認する画面」に反映する。ユーザは、測定後、直ぐに良否判定を確認することができるので、合格でなければ、制気口のシャッターやダンパーの開閉など、合格とするための処置を行った後、風速測定を迅速にやり直すことができる。
【００６４】
採用する測定風速及び測定風量の選択をユーザから受け付けると、タブレット端末１４は風量測定の結果をサーバ装置１０にアップロードする。また、サーバ装置１０は施工現場における風量測定の進捗管理を支援するため、未完了の検査アイコンの色と、完了の検査アイコンの色と、が異なる色となるように変化させる。ユーザは現場業務後、事務所に戻り、風量測定の結果をサーバ装置１０からＰＣ１２にダウンロードし、風量測定の結果の確認や、帳票ファイルの出力を行うことができる。
【００６５】
このように、本実施形態に係る施工管理システム１によれば、ユーザはＰＣ１２から施工現場の図面と、その図面上の位置で表した施工現場における風量測定場所の情報と、を事前に登録しておき、タブレット端末１４に取り込むことができる。また、タブレット端末１４は、風量測定が未完了の状態及び完了の状態を、検査アイコンの色で区別して表すことができる。したがって、ユーザは図面上に表示された検査アイコンの色により風量測定が完了した風量測定場所を一目で認識でき、測定漏れや重複測定を効果的に防ぐことができる。このように、本実施形態に係る施工管理システム１はユーザが施工現場において行う風量測定を効率化できる。
【００６６】
《事前登録》
ユーザがＰＣ１２から行う事前登録処理は、例えば図６に示す手順で行われる。図６は事前登録処理の一例のシーケンス図である。ユーザは施工現場の図面ファイルをサーバ装置１０に登録する。また、ユーザは吹出口データを登録する画面を表示させるための操作をＰＣ１２に対して行う。
【００６７】
ＰＣ１２の吹出口データ登録受付部４４は吹出口データを登録する例えば図７の画面を表示する。図７は吹出口データを登録する画面の一例のイメージ図である。図７の吹出口データを登録する画面１０００には施工現場選択欄１００１と入力欄１００２と登録ボタン１００３とが設けられている。
【００６８】
ステップＳ２１においてユーザは吹出口データを登録する施工現場を施工現場選択欄１００１で選択し、更に、入力欄１００２に例えばコピー＆ペーストで複数の吹出口の吹出口データを複数行に渡って入力して、登録ボタン１００３を押下する。複数の吹出口の吹出口データが一括して登録される。ステップＳ２２に進み、ＰＣ１２の吹出口データ登録受付部４４は画面１０００に入力された吹出口データを例えば画面１１００の吹出口データ表示欄１１０１のように表示する。
【００６９】
ステップＳ２３に進み、吹出口データ登録受付部４４は画面１０００に入力された吹出口データの登録要求をサーバ装置１０に対して行う。ステップＳ２４において、サーバ装置１０の吹出口データ登録部３２はＰＣ１２からの吹出口データ登録要求に応じて吹出口データを検査アイコン情報保存部３８に保存する。
【００７０】
ステップＳ２５において、ユーザは検査アイコンを図面上に登録する画面を表示させるための操作をＰＣ１２に対して行う。ＰＣ１２の検査アイコン登録受付部４５は図面上に検査アイコン１２０２を登録する例えば図８の画面を表示する。図８は検査アイコンを登録する画面の一例のイメージ図である。図８の検査アイコン１２０２を登録する画面１２００には図面上への検査アイコン１２０２の登録を開始する検査アイコン登録開始ボタン１２０１と登録済みの吹出口データ表示欄１２０３とが設けられている。ユーザは検査アイコン登録開始ボタン１２０１を押下し、図面上の風量測定場所（検査ポイント）に検査アイコン１２０２を登録（配置）する。
【００７１】
ステップＳ２６においてＰＣ１２の検査アイコン登録受付部４５はユーザにより登録された検査アイコン１２０２を図面上に表示する。ステップＳ２７においてユーザは登録した検査アイコン１２０２と対応付ける吹出口データを登録済みの吹出口データ表示欄１２０３から選択する。検査アイコン登録受付部４５は登録した検査アイコン１２０２と吹出口データとを対応付ける。
【００７２】
ステップＳ２８に進み、検査アイコン登録受付部４５はサーバ装置１０に対して検査アイコン情報登録要求を行う。ステップＳ２９において、サーバ装置１０の検査アイコン登録部３３は、ＰＣ１２からの検査アイコン情報登録要求に応じて、検査アイコンテーブルをテーブル保存部３６に保存する。また、検査アイコン登録部３３は、検査アイコン情報テーブルを検査アイコン情報保存部３８に保存する。
【００７３】
図６の処理により、ユーザは施工現場における風量測定場所を示す検査アイコン１２０２の図面上への登録と、検査アイコン１２０２に対応する風量測定場所の吹出口データの登録とを事前に登録できる。
【００７４】
《タブレット端末へのダウンロード》
ユーザがタブレット端末１４から行うダウンロード処理は、例えば図９に示す手順で行われる。図９はダウンロード処理の一例のシーケンス図である。ステップＳ３１においてユーザは電子化された施工現場の図面ファイル、その図面ファイルに登録された検査アイコン、検査アイコン情報をサーバ装置１０から取り込む操作をタブレット端末１４に対して行う。
【００７５】
ステップＳ３２においてタブレット端末１４の図面ファイル取得部５４はサーバ装置１０に電子化された施工現場の図面ファイルを要求する。また、検査アイコン情報取得部５３はサーバ装置１０から施工現場の図面上に登録された検査アイコン情報を要求する。ステップＳ３３においてタブレット端末１４の図面ファイル取得部５４はサーバ装置１０から電子化された施工現場の図面ファイルを取得する。また、検査アイコン情報取得部５３はサーバ装置１０から施工現場の図面上に登録された検査アイコン情報を取得する。
【００７６】
ステップＳ３４において、タブレット端末１４の表示処理部５２は図面上に検査アイコン１２０２が表示された画面１３００を表示する。ステップＳ３５においてユーザは図面上に表示された検査アイコン１２０２を選択することで、選択した検査アイコン１２０２の画面１３０１を表示する。画面１３０１は「検査アイコン情報を確認する画面」の一例である。
【００７７】
タブレット端末１４の操作判断部５１は図面上に表示された検査アイコン１２０２に対するユーザの選択操作を判断する。検査アイコン１２０２に対するユーザの選択操作があれば、表示処理部５２はステップＳ３６に進み、選択した検査アイコン１２０２の画面１３０１を図１０のように表示する。図１０は選択した検査アイコンの検査アイコン情報を確認する画面の一例のイメージ図である。
【００７８】
画面１３０１には、吹出口データを表示する欄、風量測定の結果を表示する欄、風速測定器１５による測定を開始するためのボタン１３０２が含まれる。吹出口データを表示する欄の測定風速及び測定風量は風量測定の前であるので空欄となっている。また、風量測定の結果を表示する欄はタブ１３０３により風速測定の結果と風量測定の結果とを切り替え可能な例を表している。風量測定の結果を表示する欄は、それぞれの風量測定の結果の良否判定を表す項目「良否」と、採用する風量測定の結果をユーザに選択させるための項目「採用」とが含まれている。
【００７９】
《風量測定》
ユーザがタブレット端末１４と風速測定器１５とを連動させて行う風量測定は、例えば図１１に示す手順で行われる。図１１は風量測定の一例のシーケンス図である。ステップＳ４１においてユーザは測定開始操作として、風速測定器１５による測定を開始するためのボタン１３０２を押下する。
【００８０】
ステップＳ４２においてタブレット端末１４の操作判断部５１は風速測定器１５による測定を開始するためのボタン１３０２の押下操作を判断する。ボタン１３０２の押下操作があれば、図面共有アプリ５０のアプリ切替制御部５５は風量測定アプリ６０に測定開始を要求し、風量測定アプリ６０へのアプリ切り替えを行う。
【００８１】
ステップＳ４３に進み、風量測定アプリ６０の測定デバイス制御部６１は風速測定器１５に測定データを要求する。ステップＳ４４において、風速測定器１５は風速データを測定する。ステップＳ４５において、風速測定器１５は測定した風速データをタブレット端末１４の風量測定アプリ６０に返す。
【００８２】
ステップＳ４６に進み、風量測定アプリ６０の測定データ送受信部６２は、風速データを図面共有アプリ５０に送信する。風速データの測定が終了すると、アプリ切替制御部５５は風量測定アプリ６０から図面共有アプリ５０へのアプリ切り替えを行う。風速測定は、一つの吹出口に対して、複数箇所で複数回行われる。例えば、吹出口が正方形の場合、その四隅の位置が測定箇所となる。４つの測定箇所のそれぞれにおいて、風速測定が行われる。
【００８３】
ステップＳ４７に進み、タブレット端末１４の測定データ処理部５６は風速測定器１５において測定された風速データを処理し、測定風速及び測定風量を求め、設計風速及び設計風量との比較による良否判定を行う。
【００８４】
図１２は風速測定後の検査アイコン情報を確認する画面の一例のイメージ図である。図１２の画面１３０１では、風速測定の結果を表示する欄に、風速測定の結果が表示されている。図１２の画面１３０１はタブ１３０３により風速測定の結果が表示されている例を示している。画面１３０１の風速測定の結果はポイント（１）〜（５）の５点計測を３回とポイント（１）〜（３）の３点計測を１回、行った例を示している。
【００８５】
表示処理部５２は、測定データ処理部５６による風速測定が行われる都度、タブ１３０３の風速タブに測定された風速の値を表示する。また、測定データ処理部５６は、同時に、風速データに基づいて風量を計算する。表示処理部５２は、測定データ処理部５６による風量計算が行われる都度、タブ１３０３の風量タブに計算された風量の値を表示する。例えば、第一回目の測定結果がポイント（１）に表示され、風速測定が行われる都度、測定結果がポイント（２）〜（５）に表示される。測定データ処理部５６は、風速測定が行われる都度、その風速値および風量値の平均値を計算する。測定データ処理部５６は、設計風速および設計風量のプラスマイナス１０％の値を、良否判定情報から計算し、風速値および風量値の平均値が設計風量のプラスマイナス１０％の範囲に入っているか否かを判定する。平均値が設計風速および設計風量のプラスマイナス１０％の範囲に入っている場合、良否判定結果を良とし、タブレット端末１４の表示処理部５２は「良否」欄に「○」を表示する。一方、平均値が設計風速および設計風量のプラスマイナス１０％の範囲に入っていない場合、良否判定結果を否とし、タブレット端末１４の表示処理部５２は「良否」欄に「×」を表示する。
【００８６】
図１２では、第１回目および第２回目の風速測定の良否判定結果が「×」の例を示している。図１２は、さらに第２回目の風速測定後にファンの風量調整やＣＡＶの開度調整が行なわれ、第３回目の風速測定の良否判定結果が「○」であった例を示している。図１７は測定風量を示す画面の一例のイメージ図である。図１７では、第１回目および第２回目の風量測定の良否判定結果が「×」の例を示している。図１２は、さらに第２回目の風速測定後に、ファンの風量調整やＣＡＶの開度調整が行なわれ、第３回目の風量測定の良否判定結果が「○」で、第三回目の風量測定結果が採用された例を示している。
【００８７】
また、画面１３０１のタブ１３０３の風量測定の結果の項目「良否」により、ユーザは、それぞれの風量測定の結果の良否判定を容易に行うことができる。ステップＳ４８において、ユーザは画面１３０１のタブ１３０３の風量測定の結果の項目「採用」のチェックボックスを利用して、採用する測定データを選択できる。
【００８８】
ステップＳ４８において、ユーザは採用する測定データの選択操作として、画面１３０１のタブ１３０３の採用する風量測定の結果の項目「採用」のチェックボックスにチェックする。「採用」のチェックボックスにチェックが入れられたら、表示処理部５２は、画面１３０１の吹出口データの測定風速を表示する欄、および風量測定の結果を表示する欄に、測定データ処理部５６により算出された風速と風量の平均値をそれぞれ表示させる。
【００８９】
図面共有アプリ５０の検査アイコン更新処理部５７はステップＳ４９に進み、施工現場の図面上に表示されている検査アイコン１２０２の色の制御を行う。具体的に、検査アイコン更新処理部５７は風量測定が完了した風量測定場所の検査アイコン１２０２の色を、未完了を示す色から完了を示す色に変更する。検査アイコン更新処理部５７は検査アイコン１２０２の更新要求を、このタイミングでサーバ装置１０に対して行ってもよい。
【００９０】
ステップＳ５０に進み、検査アイコン情報送信部５８は採用された風量測定の結果が反映された検査アイコン情報をサーバ装置１０に送信する。ステップＳ５１に進み、サーバ装置１０の検査アイコン情報更新部３５は、採用された風量測定の結果が反映された検査アイコン情報で、検査アイコン情報保存部３８に保存されている検査アイコン情報を更新する。
【００９１】
図１１のステップＳ４７の測定データ処理は例えば図１３に示す手順で行われる。図１３は測定データ処理の一例のフローチャートである。測定データ処理部５６はステップＳ６１において、測定風速から測定風量を算出する。具体的に測定データ処理部５６は吹出口で測定された測定風速と吹出口の開口面積から測定風量を算出する。
【００９２】
ステップＳ６２に進み、測定データ処理部５６は設計風速及び設計風量と、測定風速及び測定風量との比較による良否判定を行う。ステップＳ６３に進み、測定データ処理部５６は測定風速及び測定風量と、その測定風速及び測定風量の良否判定とを、検査アイコン情報に反映させる。そして、ステップＳ６４に進み、測定データ処理部５６は測定風速及び測定風量と、その測定風速及び測定風量の良否判定とが反映された画面１３０１となるように、吹出口データを表示する欄、及び、風量測定の結果を表示する欄を更新する。
【００９３】
《検査アイコン情報の一覧表示》
ユーザがタブレット端末１４で行う検査アイコン情報の一覧表示は、例えば図１２の画面１３０１のナンバリングリストボタン１３０４を押下することで行われる。図１４は検査アイコン情報の一覧表示画面の一例のイメージ図である。
【００９４】
ナンバリングリストボタン１３０４が押下されると、表示処理部５２は図面上の検査アイコン１２０２に対応する吹出口のリスト１４０１と、吹出口のリスト１４０１において選択中の吹出口の吹出口データを表示する欄１４０２と、戻るボタン１４０３とを表示する。戻るボタン１４０３が押下されると、表示処理部５２は図１２の画面１３０１を表示する。
【００９５】
《検査アイコン更新処理》
サーバ装置１０は施工現場における風量測定の進捗管理を支援するため、図１５に示す処理により、未完了の検査アイコンの色と、完了の検査アイコンの色と、が異なる色となるように変化させる。図１５は検査アイコン更新処理の一例のシーケンス図である。図１５の検査アイコン更新処理が開始されるタイミングは、例えば画面１３０１のタブ１３０３の採用する風量測定の結果の項目「採用」のチェックボックスにチェックがされたタイミングとなる。
【００９６】
ステップＳ１０１において、検査アイコン更新処理部５７は風量測定が完了した風量測定場所の検査アイコン１２０２の色を、完了を表す色に変化させる。また、ステップＳ１０２において、検査アイコン情報送信部５８はステップＳ１０２において、採用された風量測定の結果が反映された検査アイコン情報をサーバ装置１０に送信する。ステップＳ１０３に進み、サーバ装置１０の検査アイコン情報更新部３５は、採用された風量測定の結果が反映された検査アイコン情報で、検査アイコン情報保存部３８に保存されている検査アイコン情報を更新する。ステップＳ１０４に進み、サーバ装置１０は更新した検査アイコン情報を他のタブレット端末１４に配信する。
【００９７】
このように、更新した検査アイコン情報がサーバ装置１０から複数のタブレット端末１４に配信されることで、施工現場での風量測定を複数人のユーザが複数台のタブレット端末１４及び風速測定器１５で行う場合であっても、風量測定を効率化できる。
【００９８】
複数のタブレット端末１４の検査アイコン１２０２の色が風量測定の完了により変更となるので、複数人のユーザが現場で風量測定を行う場合であっても、風量測定場所に行く前に風量測定の完了／未完了を把握でき、移動時間を無駄にすることがない。風量測定場所や風量測定に必要な情報は、現場管理事務所等において事前に登録されている。このため、施工現場における風量測定作業自体は、施工作業を行う作業員が退出した後の定時時間外に行うことになるが、その風量測定作業を短時間で終わらせることが可能となる。
【００９９】
《事後処理》
ユーザがＰＣ１２から行う事後処理は、現場業務後、事務所に戻り、風量測定の結果をサーバ装置１０からＰＣ１２にダウンロードし、風量測定の結果の確認や、帳票ファイルの出力を行うものである。ユーザはサーバ装置１０にアップロードされた検査アイコン情報をダウンロードすることで、例えば図１６の画面１２００をＰＣ１２に表示できる。図１６は風速／風量測定の結果を確認する画面の一例のイメージ図である。
【０１００】
ユーザは画面１２００の図面上に表示された検査アイコン１２０２を選択することにより風速／風量測定の結果を含む画面１５０１を表示できる。また、ユーザは画面１２００の出力ボタン１５０２を押下することで、帳票ファイルの出力を行うことができる。
【０１０１】
本発明は、具体的に開示された上記の実施形態に限定されるものではなく、特許請求の範囲から逸脱することなく、種々の変形や変更が可能である。
【符号の説明】
【０１０２】
１    施工管理システム
１０    サーバ装置
１２    ＰＣ（パーソナルコンピュータ）
１４    タブレット端末
１５    風速測定器
１６    ネットワーク
３１    図面ファイル登録部
３２    吹出口データ登録部
３３    検査アイコン登録部
３４    検査アイコン情報提供部
３５    検査アイコン情報更新部
３６    テーブル保存部
３７    図面ファイル保存部
３８    検査アイコン情報保存部
４１    操作判断部
４２    表示処理部
４３    図面ファイル登録受付部
４４    吹出口データ登録受付部
４５    検査アイコン登録受付部
５０    図面共有アプリ
５１    操作判断部
５２    表示処理部
５３    検査アイコン情報取得部
５４    図面ファイル取得部
５５    アプリ切替制御部
５６    測定データ処理部
５７    検査アイコン更新処理部
５８    検査アイコン情報送信部
６０    風量測定アプリ
６１    測定デバイス制御部
６２    測定データ送受信部
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６０１    ＣＰＵ
６０２    ＲＯＭ
６０３    ＲＡＭ
６０４    ＥＥＰＲＯＭ
６０５    ＣＭＯＳセンサ
６０６    加速度・方位センサ
６０７    記録メディア
６０８    メディアドライブ
６０９    音声入力部
６１０    音声出力部
６１１    アンテナ
６１２    通信部
６１３    無線ＬＡＮ通信部
６１４    近距離無線通信用アンテナ
６１５    近距離無線通信部
６１６    ディスプレイ
６１７    タッチパネル
６１８    電池
６１９    バスライン
１０００、１１００、１２００、１３００、１３０１、１５０１    画面
１００１    施工現場選択欄
１００２    入力欄
１００３    登録ボタン
１１０１    吹出口データ表示欄
１２０１    検査アイコン登録開始ボタン
１２０２    検査アイコン
１２０３    登録済みの吹出口データ表示欄
１３０２    ボタン
１３０３    タブ
１３０４    ナンバリングリストボタン
１４０１    吹出口のリスト
１４０２    吹出口データを表示する欄
１４０３    戻るボタン
１５０２    出力ボタン
Ｂ    バス
【図１】
2018163422.tif 000003
【図２】
2018163422.tif 000004
【図３】
2018163422.tif 000005
【図４】
2018163422.tif 000006
【図５】
2018163422.tif 000007
【図６】
2018163422.tif 000008
【図７】
2018163422.tif 000009
【図８】
2018163422.tif 000010
【図９】
2018163422.tif 000011
【図１０】
2018163422.tif 000012
【図１１】
2018163422.tif 000013
【図１２】
2018163422.tif 000014
【図１３】
2018163422.tif 000015
【図１４】
2018163422.tif 000016
【図１５】
2018163422.tif 000017
【図１６】
2018163422.tif 000018
【図１７】
2018163422.tif 000019